【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  試験サンプル中のＵＳタイプもしくはＵＳサブタイプＥ型肝炎ウイルス（ＨＥＶ）またはその天然変異体の存在を検出する方法であって、
（ａ）前記サンプル中に存在すると結合パートナーに結合してマーカー−結合パートナー複合体を生成する前記ウイルスに対するマーカーに特異的に結合する結合パートナーと前記サンプルを接触させるステップ、及び
（ｂ）前記サンプル中の前記ウイルスの存在の指標である前記複合体の存在を検出するステップ
を含むことを特徴とする前記方法。
【請求項２】  前記マーカーが前記ウイルスに結合し得る抗体であることを特徴とする、請求の範囲第１項に記載の方法。
【請求項３】  前記抗体が、免疫グロブリンＧまたは免疫グロブリンＭであることを特徴とする、請求の範囲第２項に記載の方法。
【請求項４】  前記結合パートナーが単離ポリペプチド鎖であることを特徴とする、請求の範囲第２項に記載の方法。
【請求項５】  前記ポリペプチド鎖が固体支持体上に固定化されていることを特徴とする、請求の範囲第４項に記載の方法。
【請求項６】  前記結合パートナーが、天然変異体を含めた配列番号９１、配列番号９２、配列番号９３、配列番号１６６、配列番号１６７及び配列番号１６８からなる群から選択されるポリペプチド鎖であることを特徴とする、請求の範囲第４項に記載の方法。
【請求項７】  前記結合パートナーが、配列番号１７３、配列番号１７４、配列番号１７５、配列番号１７６、配列番号２２３または配列番号２２４に示すアミノ酸配列を含むポリペプチド鎖であることを特徴とする、請求の範囲第４項に記載の方法。
【請求項８】  前記結合パートナーが、天然変異体を含めた配列番号９１、配列番号９２、配列番号９３、配列番号１６６、配列番号１６７及び配列番号１６８からなる群から選択されるポリペプチド鎖に特異的に結合し得る単離抗体であることを特徴とする、請求の範囲第１項に記載の方法。
【請求項９】  前記抗体がモノクローナル抗体であることを特徴とする、請求の範囲第８項に記載の方法。
【請求項１０】  前記マーカーがポリペプチド鎖であることを特徴とする、請求の範囲第１項に記載の方法。
【請求項１１】  前記ポリペプチド鎖が、天然変異体を含めた配列番号９１、配列番号９２、配列番号９３、配列番号１６６、配列番号１６７及び配列番号１６８からなる群から選択されることを特徴とする、請求の範囲第１０項に記載の方法。
【請求項１２】  前記ポリペプチド鎖が、配列番号１７３、配列番号１７４、配列番号１７５、配列番号１７６、配列番号２２３または配列番号２２４に示すアミノ酸配列を含むことを特徴とする、請求の範囲第１０項に記載の方法。
【請求項１３】  前記マーカーが、前記ウイルスのゲノムの少なくとも一部を規定する核酸配列またはその相補鎖であることを特徴とする、請求の範囲第１項に記載の方法。
【請求項１４】  前記結合パートナーが、特定のハイブリダイゼーション条件下で、配列番号８９または配列番号１６４に示す核酸配列にハイブリダイズし得る単離核酸配列であることを特徴とする、請求の範囲第１項に記載の方法。
【請求項１５】  前記結合パートナーが、配列番号１２６、配列番号１２８、配列番号１４７、配列番号１４８、配列番号１５０、配列番号１５２、配列番号１７７、配列番号１７８、配列番号２５５、配列番号２５６、配列番号２５７及び配列番号２５８からなる群から選択されることを特徴とする、請求の範囲第１項に記載の方法。
【請求項１６】  前記結合パートナーが単離ポリペプチド鎖であることを特徴とする、請求の範囲第１項に記載の方法。
【請求項１７】  前期試験サンプルが、哺乳動物細胞系であることを特徴とする、請求の範囲第１項に記載の方法。
【請求項１８】  前記哺乳動物細胞系が、ヒト胎児腎細胞系であることを特徴とする、請求の範囲第１７項に記載の方法。
【請求項１９】  試験サンプル中のＥ型肝炎ウイルス（ＨＥＶ）の存在の検出方法であって、
（ａ）サンプル中に存在すると結合パートナーに結合してマーカー−結合パートナー複合体を生成する前記ウイルスに対するマーカーに特異的に結合する配列番号１２６、配列番号１２８、配列番号１４７、配列番号１４８、配列番号１５０、配列番号１５２、配列番号１７７、配列番号１７８、配列番号２５５、配列番号２５６、配列番号２５７及び配列番号２５８からなる群から選択される結合パートナーと前記サンプルを接触させるステップ、及び
（ｂ）前記サンプル中の前記ウイルスの存在の指標である前記複合体の存在を検出するステップ
を含むことを特徴とする前記方法。
【請求項２０】  配列番号１７３、配列番号１７４、配列番号１７５、配列番号１７６、配列番号２２３及び配列番号２２４に示すアミノ酸配列を含むことを特徴とする単離ポリペプチド鎖。
【請求項２１】  ＵＳタイプまたはＵＳサブタイプＨＥＶのＯＲＦ１配列によりコードされるポリペプチド、ＵＳタイプまたはＵＳサブタイプＨＥＶのＯＲＦ２配列によりコードされるポリペプチド、及びＵＳタイプまたはＵＳサブタイプＨＥＶのＯＲＦ３配列によりコードされるポリペプチドからなる群から選択されるポリペプチド鎖に特異的に結合し得ることを特徴とする単離抗体。
【請求項２２】  配列番号１７３、配列番号１７５または配列番号２２４に示すアミノ酸配列を含むポリペプチド鎖に特異的に結合し得ることを特徴とする単離抗体。
【請求項２３】  配列番号１７４、配列番号１７６または配列番号２２３に示すアミノ酸配列を含むポリペプチド鎖に特異的に結合し得ることを特徴とする単離抗体。
【請求項２４】  同様の条件下で、配列番号１６９または配列番号１７１に示すアミノ酸配列を含むポリペプチド鎖に対して、より低いアフィニティーを有することを特徴とする、請求の範囲第２２項に記載の単離抗体。
【請求項２５】  同様の条件下で、配列番号１７０または配列番号１７２に示すアミノ酸配列を含むポリペプチド鎖に対して、より低いアフィニティーを有することを特徴とする、請求の範囲第２３項に記載の単離抗体。
【請求項２６】  更に、検出可能部分を含むことを特徴とする、請求の範囲第２１項に記載の単離抗体。
【請求項２７】  ＵＳタイプまたはＵＳサブタイプＥ型肝炎ウイルスのＯＲＦ１、ＯＲＦ２もしくはＯＲＦ３配列の少なくとも一部を規定する、単離核酸配列またはその相補配列。
【請求項２８】  特定ハイブリダイゼーション条件下で配列番号８９または配列番号１６４に示すヌクレオチド配列にハイブリダイズし得る単離核酸配列。
【請求項２９】  請求の範囲第２７項に記載の単離核酸配列を含むことを特徴とするベクター。
【請求項３０】  請求の範囲第２９項に記載のベクターを含むことを特徴とする宿主細胞。
【請求項３１】  ＵＳタイプまたはＵＳサブタイプＨＥＶに対して非ヒト哺乳動物を免疫化する方法であって、前記哺乳動物に対して請求の範囲第２０項に記載のポリペプチドを前記ＵＳタイプまたはＵＳサブタイプＥ型肝炎ウイルスに特異的に結合し得る抗体の産生を刺激するのに十分な量で投与することを特徴とする前記方法。
【請求項３２】  ＵＳタイプもしくはＵＳサブタイプＨＥＶ  １に対して非ヒト哺乳動物を免疫化する方法であって、請求の範囲第２１項に記載の抗体を前記ＵＳタイプまたはＵＳサブタイプＥ型肝炎ウイルスに対して前記哺乳動物を免疫化するのに十分な量で前記哺乳動物に投与することを特徴とする前記方法。
【請求項３３】  ＵＳタイプまたはＵＳサブタイプＨＥＶ  １に対して非ヒト哺乳動物を免疫化する方法であって、請求の範囲第２２項に記載の抗体を前記ＵＳタイプまたはＵＳサブタイプＥ型肝炎ウイルスに対して前記哺乳動物を免疫化するのに十分な量で前記哺乳動物に投与することを特徴とする前記方法。
【請求項３４】  ＵＳタイプまたはＵＳサブタイプＨＥＶ  １に対して非ヒト乳動物を免疫化する方法であって、請求の範囲第２３項に記載の抗体を前記ＵＳタイプまたはＵＳサブタイプＥ型肝炎ウイルスに対して前記哺乳動物を免疫化するのに十分な量で前記哺乳動物に投与することを特徴とする前記方法。
【請求項３５】  ＵＳタイプまたはＵＳサブタイプＨＥＶに対して非ヒト哺乳動物を免疫化する方法であって、請求の範囲第３０項に記載の宿主細胞を前記ＵＳタイプまたはＵＳサブタイプＥ型肝炎ウイルスに対して前記哺乳動物を免疫化するのに十分な量で前記哺乳動物に投与することを特徴とする前記方法。
【請求項３６】  配列番号８９または配列番号１６４に示す核酸配列に特定のハイブリダイゼーション条件下でハイブリダイズし得るポリヌクレオチドを含む、ＵＳタイプまたはＵＳサブタイプＥ型肝炎ウイルス（ＨＥＶ）またはその天然変異体のサンプル中における存在を検出するためのキット。
【請求項３７】  ポリヌクレオチドが配列番号１２６、配列番号１２８、配列番号１４７、配列番号１４８、配列番号１５０、配列番号１５２、配列番号１７７、配列番号１７８、配列番号２５５、配列番号２５６、配列番号２５７および配列番号２５８からなる群より選択される請求項３６に記載のキット。